(57)【特許請求の範囲】
【請求項１】
医療画像を撮像する画像診断装置と、この画像診断装置で撮像された医療画像が記憶される画像サーバと、この画像サーバに記憶された医療画像を表示する画像表示装置と、この画像表示装置に表示される医療画像に基づいて所見を作成する所見作成装置と、前記画像サーバに記憶された医療画像をメディアに記録する記録装置が通信ネットワークを介して接続された医療画像記録システムにおいて、
前記画像サーバは、
前記通信ネットワークを介して前記医療画像を送受信する画像送受信手段と、
この画像送受信手段が受信した医療画像を関連する識別情報と共に記憶する画像記憶手段と、
前記識別情報を画像管理情報として格納する画像管理情報格納手段と、
前記医療画像が前記画像記憶手段に記憶された時間を計時する計時手段と、
前記画像記憶手段の記憶可能な残容量を検出する残容量検出手段と、
前記計時手段により計時された時間より所定時間以上経過した場合は該当する医療画像を前記メディアに記録すると判定して前記画像管理情報格納手段に格納された該当医療画像の画像管理情報に記録対象であることを識別する情報を付加するとともに、前記残容量検出手段により検出された画像記憶手段の残容量が所定の値以下となった場合はその残容量が所定の値以上となるように古い医療画像をメディアに記録すると判定して前記画像管理情報格納手段に格納された医療画像の画像管理情報に記録対象であることを識別する情報を付加する記録条件判定手段と、
前記所見作成装置により前記所見が作成されて確定されたことを示す画像確定情報が医療画像に対応付けられて格納される前記画像管理情報格納手段または別途設けられる確定情報格納手段のいずれかと、
前記画像管理情報格納手段に格納された画像管理情報を参照して記録対象であることを識別する情報が付加された医療画像を抽出しその医療画像を前記画像記憶手段より読み込んで前記メディアに記録するように前記記録装置に転送するとともに、前記確定情報格納手段に格納された画像確定情報を参照して画像確定情報に関連付けられた医療画像を前記画像記憶手段より読み込んで前記メディアに記録するように前記記録装置に転送する記録制御手段、
とで構成されたことを特徴とする医療画像記録システム。
【発明の詳細な説明】
【０００１】
【発明の属する技術分野】
本発明は、ＣＴ（Computed Tomography）装置、ＭＲＩ（Magnetic Resonance Imaging）装置、ＣＲ（Computed Radiography）装置等の画像診断装置で撮影された医療画像を、光磁気ディスクやＣＤ−ＲＯＭ等のメディアに記録して保存する医療画像記録システムに関するものである。
【０００２】
【従来の技術】
従来、病院では、ＣＲ装置等で撮影したものは、フィルムを読影して診断等を行っていたが、近年、医療画像データとして、画像サーバに保存し、この医療画像データを通信ネットワークを介して画像表示装置に転送して表示させ、診断を行うようになってきた。
【０００３】
そして、医療画像のフォーマット及び通信に関する規格として、ＤＩＣＯＭ（Digital Imaging and Communications in Medicine）と呼ばれる規格が世界的な標準規格となってきており、この規格に準拠することにより、医療画像を扱う機器間の相互運用性を実現しようとしている。
【０００４】
図２は、従来の医療画像記録システムの構成を示す図である。
図２において、１は例えばＣＴ装置、ＭＲＩ装置、ＣＲ装置等の画像診断装置、２は画像サーバ、３は画像表示装置、４は所見作成装置、５は記録装置であり、これらは通信ネットワーク６を介して接続されている。
【０００５】
画像診断装置１は、医療画像を撮像し、受信者の氏名、登録番号、撮影条件、撮影日等の医療画像を識別する情報を付加して通信ネットワーク６を介して画像サーバ２に送信し、画像サーバ２は医療画像を受信して内部の記憶手段（図示しない）に記憶する。
【０００６】
そして、画像表示装置３は、画像サーバ２の記憶手段から通信ネットワーク６を介して医療画像を送信させて表示させ、医師はこの医療画像を読影して所見作成装置４に所見を入力して医療画像を確定し、医療画像の識別情報と共に作成した所見を内部の記憶手段（図示しない）に保存する。
【０００７】
一方、画像サーバ２は、例えば、画像診断装置１から医療画像を受信してからの経過時間が所定の時間以上となった場合、画像サーバ２の内部に設けられた記憶手段の空き容量が所定値以下となった場合等の所定条件により、記憶手段に記憶された医療画像を記録手段５に転送し、記録手段５は転送された医療画像を例えば光磁気ディスク、ＣＤ−ＲＯＭ等のメディアに記録して、長期的に保存させる。
【０００８】
【発明が解決しようとする課題】
しかし、このような医療画像記録システムにおいては、医師が医療画像を読影した後に所見を入力して医療画像を確定しても、医療画像を記録手段５に記録する所定条件となるまでの間に、画像サーバ２の記憶手段に何らかのトラブルが発生した場合、その医療画像が失われてしまう恐れがある。
しかし、例えば同一の患者が過去に行った検査と同じ検査をする場合などに過去の医療画像と新たな医療画像を比較する必要があり、確定された医療画像が失われてしまった場合は、その比較を行うことが不可能となり、医療診断上の不都合となるという問題点があった。
【０００９】
本発明は上述した問題点を解決するためになされたものであり、医師により所見が作成されて確定された医療画像を安全かつ確実にメディアに記録して保存することができる医療画像記録システムを実現することを目的とする。
【００１０】
【課題を解決するための手段】
本発明の請求項１においては、
医療画像を撮像する画像診断装置と、この画像診断装置で撮像された医療画像が記憶される画像サーバと、この画像サーバに記憶された医療画像を表示する画像表示装置と、この画像表示装置に表示される医療画像に基づいて所見を作成する所見作成装置と、前記画像サーバに記憶された医療画像をメディアに記録する記録装置が通信ネットワークを介して接続された医療画像記録システムにおいて、
前記画像サーバは、
前記通信ネットワークを介して前記医療画像を送受信する画像送受信手段と、
この画像送受信手段が受信した医療画像を関連する識別情報と共に記憶する画像記憶手段と、
前記識別情報を画像管理情報として格納する画像管理情報格納手段と、
前記医療画像が前記画像記憶手段に記憶された時間を計時する計時手段と、
前記画像記憶手段の記憶可能な残容量を検出する残容量検出手段と、
前記計時手段により計時された時間より所定時間以上経過した場合は該当する医療画像を前記メディアに記録すると判定して前記画像管理情報格納手段に格納された該当医療画像の画像管理情報に記録対象であることを識別する情報を付加するとともに、前記残容量検出手段により検出された画像記憶手段の残容量が所定の値以下となった場合はその残容量が所定の値以上となるように古い医療画像をメディアに記録すると判定して前記画像管理情報格納手段に格納された医療画像の画像管理情報に記録対象であることを識別する情報を付加する記録条件判定手段と、
前記所見作成装置により前記所見が作成されて確定されたことを示す画像確定情報が医療画像に対応付けられて格納される前記画像管理情報格納手段または別途設けられる確定情報格納手段のいずれかと、
前記画像管理情報格納手段に格納された画像管理情報を参照して記録対象であることを識別する情報が付加された医療画像を抽出しその医療画像を前記画像記憶手段より読み込んで前記メディアに記録するように前記記録装置に転送するとともに、前記確定情報格納手段に格納された画像確定情報を参照して画像確定情報に関連付けられた医療画像を前記画像記憶手段より読み込んで前記メディアに記録するように前記記録装置に転送する記録制御手段、
とで構成されたことを特徴とする医療画像記録システムである。
【００１１】
【発明の実施の形態】
次に、本発明の実施例について図面を用いて説明する。
図１は本発明の一実施例の構成概略図である。
尚、以下の図面において、図２と重複する部分は同一番号を付してその説明は適宜に省略する。
【００１２】
図１において、画像サーバ２には、画像送受信手段２ａ、画像記憶手段２ｂ、画像管理情報格納手段２ｃ、計時手段２ｄ、残容量検出手段２ｅ、記録条件判定手段２ｆ、記録制御手段２ｇ、確定情報格納手段２ｈ、が設けられている。
【００１３】
画像送受信手段２ａは、通信ネットワーク６を介して画像診断装置１から送信される医療画像を受信し、画像記憶手段２ｂは、受信した医療画像を受信者の氏名、登録番号、撮影条件、撮影日等の医療画像の識別情報と共に記憶し、その識別情報は画像管理情報として画像管理情報格納手段２ｃに格納される。
そして、画像送受信手段２ａは、画像記憶手段２ｂに記憶された医療画像を画像表示装置３に送信して表示させる。
【００１４】
そして、計時手段２ｄは医療画像が画像記憶手段２ｂに記憶された時間を計時してその結果を記録条件判定手段２ｆに送信し、残容量検出手段２ｅは画像記憶手段２ｂの記憶可能な残容量を検出して記録条件判定手段２ｆにその結果を送信する。
【００１５】
そして、記録条件判定手段２ｆは、計時手段２ｄにより計時された時間より所定時間以上経過した場合は、例えばその計時時間に関連付けられた医療画像、またはその医療画像を含む検査単位の複数の医療画像等をメディアに記録すると判定し、画像管理情報格納手段２ｃに格納された医療画像の画像管理情報に記録対象であることを識別する情報を付加する。
【００１６】
また、記録条件判定手段２ｆは、残容量検出手段２ｅにより検出された画像記憶手段２ｂの残容量が所定の値以下となった場合は、その残容量が所定の値以上となるように、古い医療画像から例えば検査単位の複数の医療画像をメディアに記録すると判定し、画像管理情報格納手段２ｃに格納された医療画像の画像管理情報に記録対象であることを識別する情報を付加する。
【００１７】
そして、記録制御手段２ｇは、画像管理情報格納手段２ｃに格納された画像管理情報を参照し、記録対象であることを識別する情報が付加された医療画像を抽出してその医療画像を画像記憶手段２ｂより読み込んで記録手段５に転送し、記録手段５は、転送された医療画像をメディアに記録する。
【００１８】
一方、所見作成装置４は、医師が画像表示装置３に表示された医療画像を読影して作成した所見を保存した場合に、その医療画像に関連付けられた画像確定情報を画像サーバ２に通信ネットワーク６を介して送信し、画像サーバ２に設けられた確定情報格納手段２ｈは画像確定情報を受信して格納する。
【００１９】
そして、記録制御手段２ｇは、確定情報格納手段２ｈに格納された画像確定情報を参照し、画像確定情報に関連付けられた医療画像を画像記憶手段２ｂより読み込んで記録手段５に転送し、記録手段５は転送された医療画像をメディアに記録する。
【００２０】
尚、所見作成装置４から送信される画像確定情報を、画像管理情報格納手段２ｃに送信し、即ち、確定情報格納手段２ｈの機能を画像管理情報格納手段２ｃに持たせ、確定された医療画像の画像管理情報に画像確定情報を付加するようにしても良い。
【００２１】
この場合、記録制御手段２ｇは、画像管理情報格納手段２ｃに格納された画像管理情報を参照し、画像確定情報が付加された医療画像を抽出してその医療画像を画像記憶手段２ｂより読み込んで記録手段５に転送し、記録手段５は転送された医療画像をメディアに記録する。
【００２２】
【発明の効果】
以上説明したように本発明によれば、所見作成装置により所見が作成されて確定された医療画像を識別する画像確定情報が格納される確定情報格納手段を設け、確定情報格納手段に格納された画像確定情報に対応する医療画像を記録手段によりメディアに記録するようにしたしたので、医師により所見が作成されて確定された医療画像を安全かつ確実にメディアに記録して保存し、確実な過去の医療画像の参照を可能とする医療画像記録システムを実現することができる。
【図面の簡単な説明】
【図１】本発明の一実施例の構成を示す図である。
【図２】従来の医療画像記録システムの構成を示す図である。
【符号の説明】
１  画像診断装置
２  画像サーバ
２ｈ  確定情報格納手段
３  画像表示装置
４  所見作成装置
５  記録手段
６  通信ネットワーク
【図１】
0004193351.tif 000002
【図２】
0004193351.tif 000003